【事件の表示】
　特願２００２−１８４２１２「口腔用組成物」拒絶査定不服審判事件〔平成１６年　１月２９日出願公開、特開２００４−　２６７０１〕について、次のとおり審決する。
【結　論】
　本件審判の請求は、成り立たない。
【理　由】
１．手続の経緯
　本願は、平成１４年６月２５日の出願であって、平成１９年２月１９日付けで拒絶査定がなされ（発送日：平成１９年３月１３日）、これに対し、平成１９年４月１０日に拒絶査定不服審判の請求がなされるとともに、平成１９年５月９日付けで手続補正がなされたものであり、さらに当審において平成２２年９月７日付けで拒絶理由が通知され（発送日：平成２２年９月１４日）、これに対して、同年１１月１日付けで意見書が提出されたものである。
　
２．本願発明
　本願の請求項１ないし３に係る発明は、平成１９年５月９日付け手続補正書により補正された特許請求の範囲の請求項１ないし３に記載された事項により特定されるとおりのものと認められ、その請求項１に係る発明は次のとおりである。
　
「【請求項１】乳酸菌共生培養エキス、および、アロエエキスおよび／またはヨモギエキスを含有することを特徴とする口腔用組成物。」
　
３．引用例の記載事項
　当審において平成２２年９月７日付けで通知した拒絶の理由に引用された本願の出願前に頒布された刊行物は以下のとおりである。（以下の引用例１〜１０は、拒絶理由通知書に記載の刊行物１〜１０にそれぞれ対応する。）
　
　引用例１：特開昭６０−１９０７０７号公報　
　引用例２：特表２００１−５１２６７０号公報
　引用例３：特開平３−２６２４６７号公報
　引用例４：特開平１１−１０６２７６号公報
　引用例５：特開昭６０−３１８９３号公報　
　引用例６：特開２００１−１４９０２３号公報
　引用例７：特開昭６３−１５２３１０号公報　
　引用例８：特開平４−１８０２４号公報
　引用例９：特開平８−１５１３２５号公報
　引用例１０：特開２０００−５３５５０号公報
　　
（１）引用例１には、次の事項が記載されている。
（1a）「（１）ストレプトコッカス属又はラクトバチルス属に属する微生物の菌体及び／又は水抽出物を有効成分として含有することを特徴とする抗う蝕剤。
（２）前記微生物がストレプトコッカス・フェシウム、ストレプトコッカス・イクイナス、ラクトバチルス・ファーメンタム及びラクトバチルス・サリバリウスであることを更に特徴とする特許請求の範囲第（１）項に記載の抗う蝕剤。」（特許請求の範囲第１項、第２項）
　
（1b）「上記に鑑み本発明者らは鋭意研究の結果、健常人腸内細菌由来の乳酸菌々体乃至その水抽出物がS・ミュータンスに対し強い抗菌活性を有すること及びこれら乳酸菌々体乃至水抽出物は腸内細菌に対する影響も含めて経口投与では実質的に全然無毒性であることを知見し、本発明に到達したものである。」（公報第１頁右下欄２行〜６行）
　
（1c）「本発明抗う蝕剤は歯みがき剤、含嗽剤、トローチ剤、チューインガム等々の各種う蝕予防・抑制口腔用組成物として或いは通常の広汎な飲食物に添加されてう蝕抑制・予防性飲食物の形態で好適に使用され得るものであるが、その使用量は処理菌体乃至水抽出物として通常、０．００１〜１０重量％（乾燥重量換算）程度である。」（公報第４頁左下欄末行〜右下欄５行）
　
（２）引用例２には、次の事項が記載されている。
（2a）「【請求項１】 酵素グルコシルトランスフェラーゼに影響を与えることにより水不溶性グルカン（ムタン）あるいは歯垢の産生を阻害する、ないしは口腔内で歯垢を形成する細菌に対する増殖阻害効果を有する乳酸菌。
【請求項２】 エンテロコッカス属１３５７（ＫＣＴＣ ０３６０ＢＰ）、ラクトバシラス属Ｖ２０（ＫＣＴＣ ０３６１ＢＰ）、または、ラクトコッカス属 １３７０（ＫＣＴＣ ０４１５ＢＰ）である請求項１記載の乳酸菌。
【請求項３】 歯肉炎、歯周炎、および随伴する口臭（悪臭）を引き起こす嫌気性細菌の増殖を阻害する乳酸菌。
【請求項４】 嫌気性細菌の増殖を阻害するために過酸化水素（Ｈ2Ｏ2）を阻害する請求項３記載の乳酸菌。
【請求項５】 ラクトバシラス属Ｖ２０（ＫＣＴＣ ０３６１ＢＰ）とストレプトコッカス・オラーリス（ＡＴＣＣ ３５０３７）である請求項４記載の乳酸菌。
【請求項６】 請求項１記載の乳酸菌を単独でまたは混合して含む、酵素グルコシルトランスフェラーゼに影響を与えることにより水不溶性グルカンないしは歯垢の産生、あるいは歯垢形成細菌の増殖かのいずれかを阻害することができる食品。
【請求項７】 請求項４記載の乳酸菌を単独でまたは混合して含む、歯肉炎、歯周炎、随伴する口臭を引き起こす嫌気性細菌の増殖を阻害することができる食品。
【請求項８】 ヨーグルト、バター、チーズ、アイスクリーム、ガム、ショートニング、マーガリン、またはキムチでありうる請求項６または７記載の食品。
【請求項９】 カプセル、錠剤、または小さな包装の形態の凍結乾燥された状態の請求項１または４記載の乳酸菌。」（特許請求の範囲【請求項１】〜【請求項９】）
　
（2b）「本発明はヒト口腔内における歯垢（プラーク）の産生を阻害する新規な乳酸菌に関する。さらに詳細には、この新規な乳酸菌により、ヒトの口腔内において通常存在する細菌によって産生される歯垢の主要な成分である水不溶性グルカン（ムタン）の産生を阻害することができる。歯肉炎、歯周炎、随伴する口臭（悪臭）を引き起こす口腔内嫌気性細菌もその新規な細菌により阻害することができる。これらの乳酸菌は、水不溶性グルカンの産生を阻害または抑制する、あるいは水不溶性グルカンを形成する際に役割を果たしている細菌に対して拮抗する、あるいは歯肉炎や歯周炎を引き起こす嫌気性細菌の増殖を阻害する、エンテロコッカス属(Enterococcus spp.)、ラクトバシラス属(Lactobacillus spp.)、ラクトコッカス属(Lactococcus spp.)、ストレプトコッカス属(Streptococcus spp.)に属する。」（段落【０００１】）
　
（2c）「乳酸菌は一般的に、炭水化物を発酵させて乳酸にする。乳酸菌は、ヒトと動物の口腔と消化管に生息し、またヨーグルト、チーズ、その他の発酵食物の製造に利用されている。さらに、それらの乳酸菌は薬剤などの生物活性物質の産生に使用されている。これらの乳酸産生菌の代表的なものには、ストレプトコッカス・サーモフィルス(Streptococcus thermophilus)、エンテロコッカス・フェカーリス(Enterococcus faecalis)、エンテロコッカス・デューランス(Enterococcus durans)、ラクトコッカス・ラクチス(Lactococcus Lactis)、ラクトバシラス・アシドフィリス(Lactobacillus acidophilus)、ラクトバシラス・ブルガリクス(Lactobacillus bulgaricus)、ラクトバシラス・カゼイ(Lactobacillus casei)、Lactobacillus platarumがある。ヒトや動物の内臓の生息生物として、これらのグラム陽性乳酸菌は病原性の細菌の増殖を阻害する乳酸や抗細菌物質の産生により内臓を健康に保つに当たって重要な役割を果たしていることが分かっている。」（段落【０００２】）
　
（2d）「本研究のもう1つの目的は、乳酸菌を用いる食品あるいは飲物を提供することである。水不溶性グルカンの産生を直接的に阻害することができる、あるいは歯垢の形成に寄与する微生物に対する増殖阻害活性を有する乳酸菌を含む食品が食されると、このような乳酸菌は自然に歯垢の形成を抑制し、結果的にう蝕形成を予防する。また食品に、歯肉炎や歯周炎を引き起こす嫌気性細菌の増殖を阻害することができる乳酸菌が含まれる場合には、乳酸菌は自然に歯肉炎、歯周炎、随伴する口臭を改善し、またその発生を予防する。」（段落【００１１】）
　
（３）引用例３には、次の事項が記載されている。
（3a）「２）酵母菌と乳酸菌とを共生培養し、得られた培養液より、菌体を実質的に完全に除去し、得られた生産物を濃縮することにより、その生産物中の水分を生産物の重量基準で９３〜９６重量％除去することにより得られる濃縮生産物よりなる微生物醗酵生産物の人工添加物無添加の濃縮飲料。」（特許請求の範囲第２項）
　
（3b）「酵母菌と乳酸菌から選ばれた特定の組み合わせを用いて共生培養して得た培養液の濃縮液が、アミノ酸、ビタミン、およびミネラルなどの有効成分をバランス良く含有し栄養価が高くかつ、人工の着味料などを添加することのない健康飲料として適するものであることを見い出した。」（公報第１頁右下欄１８行〜第２頁左上欄４行）
　
（3c）「また、微生物醗酵生産物には、有害菌を抑制する性質や殺菌力があるため、本発明に係る濃縮飲料は、室温においても長期にわたり安定であり、したがって、従来の飲料製品のように低温保存の必要がないものである。」（公報第３頁右下欄１１行〜１６行）
　
（４）引用例４には、次の事項が記載されている。
（4a）「【請求項１】大豆タンパクを含む培地中で、乳酸菌および酵母菌を共棲培養して得られた醗酵物を含むことを特徴とする、大豆醗酵物からなる有益組成物。」（特許請求の範囲【請求項１】）
　
（4b）「上記の醗酵濾過残渣を含む植物活性剤、および醗酵濾液（液体エキス）を含む植物活性エキスは、植物の成長を助け、活力を与える健康エキスの如き作用を発揮する。具体的には、以下のような作用効果を有するものと考えられる。
・根の活性を高め、養分吸収能力を高める。
・発根を促し、活着を高める。
・土壌を活性化する。
・低温、乾燥、塩類障害等の不良環境下でも植物の耐性を高める。
・草姿、草勢、葉色、色艶、着花性を高める。
・果形、果実、子実の肥大性を高める。
・草勢を維持し、成り疲れを少なくする。
・気象ストレス（高温障害、日照不足、加湿、低温など）の軽減。
・病気に対する抵抗性を高める。」（段落【０００８】）
　
（4c）「また、液体分（濾液・原液）は健康飲料などとしても用いることもできる。腸の中には善玉菌と悪玉菌が生存していおり、バランスが崩れると悪玉菌が増え、腐敗物質や有毒物質が発生し、さまざまな病気を引き起こす。乳酸菌有益生産物質で、善玉菌の繁殖を促進し、腸の環境を整え、慢性便秘・下痢・十二指腸潰瘍・糖尿病・神経通・リウマチ・腰痛・関節炎・痛風・高血圧・低血圧、生理痛・生理不順・皮膚炎・湿疹・アトピー・アレルギー・水虫・口内炎・虚弱体質・慢性病・成人病・肝臓病・冷え性・不眠症等への効果が期待できる。」（段落【００１１】）
　
（５）引用例５には、次の事項が記載されている。
（5a）「（１）温度４０℃程度の室内に設置した貯水槽内に３０℃〜４０℃の水道水又は飲用に適する水を入れて重量比０．５〜１．０％位の適量の栄養源を混入攪拌し、この液中に酵母菌及び乳酸菌を適量添加して約４〜５日間培養した後、０．２〜０．５ミクロン用の精密濾過機により完全濾過して除菌して製成することを特徴とする無菌水の製造法。」（特許請求の範囲第１項）
　
（5b）「この無菌水の利用範囲は広く、数年間の実験結果その効果は顕著なものがあり、多種多面に亘って利用した結果は良好である。例えば（１）食品の腐敗防止用として、又（２）有機性物質の悪臭を分解する作用をなして臭気を消除するものとして、又（３）浸透性を有する為、これを利用した各種食品加工用水として、（４）皮膚組織に浸透してその活性を維持促進する為の化粧用として使用する等その利用による効果は大きい。」（第２頁左上欄９行〜１８行）
　
（６）引用例６には、次の事項が記載されている。
（6a）「【請求項１】 乳酸菌と酵母菌とを共存培養して得られる培養液からなる生体活性剤であって、該培養液が乳酸菌と酵母菌のそれぞれの菌体を含有し、該培養液の単位量あたりの乳酸菌数と酵母菌数との比率が１００：１０〜１００：３０の範囲にあることを特徴とする生体活性剤。」（特許請求の範囲【請求項１】）
　
（6b）「植物に対しても、葉面撒布することにより、本剤に含有される有用微生物群が植物体に付着生存し、カビや、植物病原菌の感染の機会を妨害することが判明した。例えば、ベト病、さび病、たんそ病、うどんこ病、等々を相当な確立でもって防禦できるのである。」（段落【００２５】）
　
（6c）「本発明においては、乳酸菌と酵母菌とが共存することが必須であるが、その理由は、乳酸菌の分泌物は酵母の繁殖を促進し、逆に酵母の分泌物は乳酸菌の繁殖を促進することとなり、それぞれの菌を単独で培養したときに比較して、本発明では乳酸菌と酵母とが共存培養されているため、互いに
繁殖が促進されて培養効率を高めることができるからである。」（段落【００２８】）
　
（７）引用例７には、次の事項が記載されている。
（7a）「１．以下のａ）〜ｃ）の成分：
ａ）担体、
ｂ）塩化亜鉛又は他の適当な塩によって安定化されたサンギナリア　カナデンシス（Sanguinaria canadensis）の抽出物；および
ｃ）アロエ　ベラ（Aloe vera）ゲルを含んで成る口腔衛生において使用される組成物。」（特許請求の範囲第１項）
　
（7b）「アロエ　ベラ・リンネ（アロエ　バルバデンス（Aloe bardensis)ミラー；リピスセアエ科）は多肉の多年生薬用植物である。植物およびその汁は、歴史前および記録にある歴史の過程において種々の医薬目的のために使用されてきた。これは、火傷、潰瘍状態、創傷、湿疹、胃潰瘍、毒蔦、昆虫咬傷および歯肉疾患の如き種々の不安状態に対し天然の大衆治療薬として使用されてきた。」（公報第２頁左下欄１８行〜右下欄５行）
　
（7c）「練歯みがきの形態にある本発明の組成物は、天然成分の容易に入手できる口腔摘用を提供する。この適用は、使用者によってなされる。更に、本発明の組成物は、歯みがき用化合物の化合物で用いる場合、練練された口腔衛生士による口腔への天然成分の適用に対しても好都合に使用できる。」（公報第３頁右下欄１６行〜第４頁左上欄１行）
　
（7d）「練歯みがき調製品中には、アスパラトメート（Aspartmate）又は他の適当な甘味料をサッカリンの代りに用いることができ、カラゲネン又は他の天然のもしくは適当なガムが使用でき、更に練歯みがき成分を変えることなくフッ化スズの代りにフッ化ナトリウムもしくは他の適当なフッ素化合物を使用できる。」（公報第４頁左上欄２行〜８行）
　
（８）引用例８には、次の事項が記載されている。
（8a）「ヨモギの抽出液を含む口腔衛生製品。」（特許請求の範囲）
　
（8b）「本発明の口腔衛生製品では、得られたヨモギの抽出液を含む。口腔衛生製品の形としては、たとえば歯みがき、洗口料、含嗽剤、口内塗布剤などが挙げられる。これらの製品の原料、製法などは、従来当業者が行なってきた通りで良い。歯みがきを例にとれば、原料として研磨剤（例えば炭酸カルシウム、リン酸水素カルシウム、ピロリン酸カルシウム）、保湿剤（例えばグリセリン、ソルビット、プロピレングリコール）、発泡剤（例えばラウリル硫酸ナトリウム）、粘結剤（例えばカルボキシメチルセルロースナトリウム、カラギーナン）、香料、甘味剤、保存料、着色剤などを用いる。そして、歯みがきの種類としては、粉歯みがき、練り歯みがきなどがある。」（公報第２頁左上欄８行〜右上欄１行）
　
（９）引用例９には、次の事項が記載されている。
（9a）「【請求項１】リジンまたはその誘導体と抗菌活性を示す化合物とノニオン界面活性剤および両性界面活性剤から選ばれる少なくとも１種の界面活性剤からなることを特徴とする抗菌製剤
・・・・・（中略）・・・・・
【請求項７】抗菌活性を示す化合物が天然の抗菌剤である請求項１および２記載の抗菌製剤
【請求項８】天然の抗菌剤がチモール、油溶性甘草エキス、プロポリス、カミツレ、ポリフェノール、桑白皮エキス、アロエエキス、茶エキスから選ばれる１種以上である請求項７記載の抗菌製剤
・・・・・（中略）・・・・・
【請求項１０】用途が口腔用である請求項１〜９記載の抗菌製剤」（特許請求の範囲）
　
（9b）「また本発明の抗菌活性を示す化合物とは・・・・・、チモール、メントール、オイゲノール、タンニン、ポリフェノール、ラタニア、カミツレ、ミルレ、セージ、茶エキス、ヒノキエキス、油溶性甘草エキス、桑白皮エキス、アロエエキス、プロタミン、プロポリス、リゾチームなどの天然抗菌剤、・・・・・が挙げられるがこれらに限定されるものではない。・・・・・これらの抗菌剤は単独で、またはこれらを組み合わせて用いることができ、その配合量は抗菌剤の総量で抗菌製剤中０．００１〜１０重量％が好ましく、０．０１〜５重量％がより好ましい。０．００１重量％未満では本発明の効果が十分得られず、１０重量％を越えると製剤上あるいはコスト的に不利である。」（段落【０００７】）
　
（9c）「本発明の抗菌製剤は、常法により製造することができ、液体、液状、ゲル状、ペースト状、ガム状、固形物とすることができる。例えば、口腔に応用する場合には、歯磨（練歯磨、潤性歯磨、液状歯磨、液体歯磨、マウスウオッシュ等）、ペースト状組成物（例えば、口腔用パスタ、歯肉マッサージクリーム等）、口腔清涼剤（例えば錠剤、スプレ−等）、イリゲーター用溶液等の形態にすることができる。更に、前記の成分に加え、抗菌製剤の形態に応じて通常の有効基剤を用いてもよい。例えば、トラネキサム酸、グリチルリチン酸ジカリウム、ビタミンＥ、アズレンなどの薬効剤やその他界面活性剤、溶剤、ｐＨ調整剤、防腐剤、甘味剤、香料、粘結剤、研磨剤等を配合することができる。」（段落【００１１】）
　
（１０）引用例１０には、次の事項が記載されている。
（10a）「【請求項１】 粒子表面に抗炎症性物質あるいは抗アレルギー性物質を吸着している、一次粒子の平均粒子径が０．０１〜１０μｍの範囲にあるハイドロキシアパタイト微粒子を主たる固体成分とする口腔清浄剤組成物。
【請求項２】 抗炎症性物質あるいは抗アレルギー性物質が、シソ抽出物、アロエ抽出物、カッコン抽出物、茶エキス抽出物およびプロポリスからなる群より選ばれる植物抽出物である請求項１に記載の口腔清浄剤組成物。」（特許請求の範囲【請求項１】【請求項２】）
　
（10b）「なお、本発明の口腔清浄剤組成物においては、本発明の効果を損なわない範囲において、通常、歯磨組成物や他の口腔洗浄組成物に含まれ得る添加成分を任意に含有し得る。例えば、甘味料として、キシリトール、トレハロース、酵素としてデキストラナーゼ、ミュータナーゼ、さらにビタミンＣ、クエン酸、プロポリス等を配合することができる。」（段落【００１７】）
　
４．対比・判断
　引用例１には、「ストレプトコッカス属又はラクトバチルス属に属する微生物の菌体及び／又は水抽出物を有効成分として含有することを特徴とする抗う蝕剤」が記載されており（上記記載（1a）参照）、ここで「ストレプトコッカス属又はラクトバチルス属に属する微生物の菌体」とは、「乳酸菌」として広く知られているものであるから（上記記載（2b）（2c）参照）、上記引用例１には、「乳酸菌及び／又は乳酸菌の水抽出物を有効成分として含有することを特徴とする抗う蝕剤」の発明が記載されているものと認められる（以下、この発明を「引用発明」という）。
　
　そこで本願の請求項１に係る発明（以下、「本願発明」という）と、上記引用発明とを比較すると、引用発明の「抗う蝕剤」は、「歯みがき剤、含嗽剤、トローチ剤、チューインガム等々の各種う蝕予防・抑制口腔用組成物として」好適に使用されるものであるから（上記記載（1c）参照）、本願発明の「口腔用組成物」に相当するものであり、また、口腔用組成物に含有される成分が、引用発明では「乳酸菌及び／又は乳酸菌の水抽出物」、本願発明では「乳酸菌共生培養エキス」であって、いずれも乳酸菌由来の成分である点では共通していることから、両者は、
　
「乳酸菌由来の成分を含有することを特徴とする口腔用組成物」
　
である点で一致し、一方、次の点で相違している。
　
（相違点１）
　本願発明においては、乳酸菌由来のエキスが「乳酸菌共生培養エキス」であるのに対して、引用発明においては「乳酸菌及び／又は乳酸菌の水抽出物」である点。
　
（相違点２）
　本願発明においては、さらに「アロエエキスおよび／またはヨモギエキス」を含有するのに対して、引用発明においては、さらに他の成分を含有することについては記載されていない点。
　
＜相違点１についての検討＞
　乳酸菌が食用あるいは薬用の用途に広く供されていることは、一般に知られているところであるが（例えば、上記記載（2c）参照）、引用例１、２には、う蝕原因菌に対する抗菌性や口腔内細菌の増殖を阻害する性質を有する乳酸菌とその水抽出物（上記記載（1b）（2b）参照）を、抗う蝕剤として歯みがき剤や含嗽剤等の口腔用組成物の用途に用いることが記載されている（上記記載（1a）（1c）（2a）参照）。
　また、引用例３ないし６には、乳酸菌と酵母菌とを共生培養させることによって得られる培養液等の乳酸菌共生培養エキスが記載されており（上記記載（3a）（4a）（5a）（6a）参照）、このような乳酸菌共生培養エキスは、栄養価が高く整腸作用等を有するため、飲料や食品等の用途に用いられていること（上記記載（3a）（3b）（4c）参照）、さらに殺菌作用や抗菌作用、活性作用や浸透作用等を有するため、飲料や食品だけにとどまらず生体活性剤や腐敗防止・カビ防止等さまざまな用途に用いられていること（上記記載（5b）（6b）参照）が記載されている。
　そして、引用例６には、「乳酸菌と酵母菌とが共存することが必須であるが、その理由は、乳酸菌の分泌物は酵母の繁殖を促進し、逆に酵母の分泌物は乳酸菌の繁殖を促進することとなり、それぞれの菌を単独で培養したときに比較して、本発明では乳酸菌と酵母とが共存培養されているため、互いに繁殖が促進されて培養効率を高めることができる」との記載があることから（上記記載（6c）参照）、乳酸菌も酵母菌もそのまま存在している共生培養液からのエキスが、乳酸菌だけを培養した培養液からのエキスの持つ性質と同様の性質を有するであろうことは、当業者であれば容易に理解できるものであり、上述したように乳酸菌やその抽出物が、食用のみならず歯みがき剤や含嗽剤のような外用剤としても用いられていることを考え合わせると、同様に食用として広く用いられ生体活性剤や腐敗防止・カビ防止剤のような外用剤としても用いられている乳酸菌共生培養エキスについて、乳酸菌やその抽出物と同じような抗う蝕効果のあることを予想して口腔用組成物の用途を着想することは容易である。
　したがって、引用発明において、乳酸菌やその抽出物に代えて乳酸菌共生培養エキスを口腔用組成物有効成分として用いることは、当業者が容易に想到できるものである。
　
＜相違点２についての検討＞
　引用例７には、天然の大衆治療薬として知られているアロエ・ベラを含有する練歯みがき等の口腔衛生用組成物（上記記載（7a）〜（7c）参照）、同じく引用例８にはヨモギの抽出液を含有する粉歯みがき、練り歯みがき等の口腔衛生製品（上記記載（8a）（8b）参照）が記載されており、この他にも特開昭５９−１６８１４号公報（第１頁左下欄末行〜右上欄１行参照）、特開昭５９−２０４１１７号公報（第２頁左上欄１行〜２行参照）、特開平７−３３６３６号公報（段落【０００６】参照）、特開平７−３３０５３４号公報（段落【０００７】参照）、特開平８−３１０９３１号公報（特許請求の範囲【請求項１】参照）の記載等にもあるように、アロエエキスやヨモギエキスが口腔内で生理活性作用や抗菌・殺菌作用を有することは、この出願前に広く知られており、それらを単独で、あるいは他の成分と組合せて口腔用組成物の用途に供すること（例えば上記引用例９及び１０の記載等参照）も広く知られている。そして、口腔用組成物の成分を新たに選択する際には、主体となる有効成分に加えてそれまで口腔用組成物として作用効果の知られている既知の成分を適宜組合せて試し、その結果適当な成分を決定することは当然行われているものと認められる。
　したがって、引用発明において他の成分として「アロエエキスおよび／またはヨモギエキス」を用いることは当業者が容易に想到できることである。
　
＜効果についての検討＞　
　本願明細書段落【００３６】には、本願発明の効果について「この出願発明の乳酸菌共生培養エキスにより、発泡剤、若しくは各種の界面活性剤による苦味成分を低減させるとともに、アロエ成分の総合的な作用によって清掃・洗浄効果、そしてヨモギ成分による止血・歯肉の引き締め効果を向上増強させるなどの薬草成分の生体に優しい顕著な臨床的効果が確認された」と記載され、また各成分固有の作用効果について「アロエ類のエキス及び又は粉末は、殺菌作用、抗カビ作用及び抗炎症作用を発揮することができる。ヨモギ類エキス及び又は粉末は、血行障害の改善、歯槽膿漏の予防と改善、そ
して浄血・消毒及び止血作用などを発揮することができる。そして、乳酸菌共生培養エキスは、臨床的に多くの薬効、たとえば血液浄化・抗菌・殺菌作用などの如く治療若しくは薬理効果を顕著に発揮されており、」と記載され、これらの成分の「相乗効果」により「口腔内における各種又は億単位のあらゆる雑菌類を殺菌し、ムシ歯の予防、歯周炎のようなすべての歯周病の予防又は治療、歯グキの炎症などに予想外の優れた顕著な効果を得ることができる」と記載されている。
　しかし、乳酸菌と酵母菌を共生培養させたものが食味改善に効果のあることはこの出願前に知られており（例えば、特開平４−２４８９７１号公報の【請求項１】及び段落【０００８】、特開平８−１６８３８８号公報の【請求項１】及び段落【００１６】の記載等を参照）、また、アロエ類のエキス等には殺菌作用、抗カビ作用及び抗炎症作用があるため清掃・洗浄効果を発揮することや、ヨモギ類エキス等が血行障害の改善、歯槽膿漏の予防と改善、そして浄血・消毒及び止血作用などがあるため止血・歯肉の引き締め効果を向上増強させることなどは、いずれも一般に広く知られているアロエエキスあるいはヨモギエキスの作用効果であることから（上記＜相違点２についての検討＞において列挙した文献の記載等参照）、これらの成分を組合せてなる本願発明の口腔用組成物の全体としての上記効果も、各成分の固有の効果の総和にすぎないものであって、一般に広く知られている効果以外の予測されない顕著な効果があるわけではないから、本願発明において上記相違点１及び２に挙げられた構成を採用したことによる効果は、予測された範囲内のものである。
　
＜請求人の主張について＞
　請求人は、当審の拒絶理由通知に対する平成２２年１１月１日付け意見書において、「そして、文献には数多くの成分が記載されており、審査官殿が引用されました口腔用組成物に関する引用文献をみましても、たとえば、引用文献９には、チモール、メントール、オイゲノール、タンニン、ポリフェノール、ラタニア、カミツレ、ミルレ、セージ、茶エキス、ヒノキエキス、油溶性甘草エキス、桑白皮エキス、アロエエキス、プロタミン、プロポリス、リゾチームが、また、引用文献１０にも、シソ抽出物、アロエ抽出物、カッコン抽出物、茶エキス抽出物およびプロポリスが記載されていますので、それぞれの公報に記載されています組成物の成分は、膨大な量に上るのであります。したがって、このような膨大な量の口腔用組成物の中から、本願の成分を選択することは困難であります。」として、本願発明の構成を予測することは困難であると主張している。
　しかし、本願発明においては、それぞれの成分の既に知られている作用効果、あるいは既に知られている作用効果から類推可能である作用効果に基づいて必要な成分を選択しているだけであり、膨大な量の口腔用組成物中からスクリーニング等を行うことにより、これまで予測できなかった顕著な効果を有する特定の成分を選び出しているわけではなく、また、実施例や意見書に添付された参考資料をみても、特に乳酸菌共生培養物が乳酸菌より優れた効果があるという根拠を見いだすこともできず、さらに各成分の組合せにより奏せられる効果についても、上述したように個々の成分の有する周知の効果の総和よりも優れた相乗効果があるわけでもないから、請求人の上記主張は理由がないものである。
　
５．むすび
　以上のとおりであるから、本願の請求項１に係る発明は、本願の出願日前に頒布された上記引用例１ないし１０に記載された発明、及び本願の出願日前周知の技術的事項に基づいて当業者が容易に発明をすることができたものであるから、特許法第２９条第２項の規定により特許を受けることができないものであり、その余の請求項に係る発明について検討するまでもなく、本願は拒絶すべきものである。
　よって、結論のとおり審決する。